(57)【要約】【課題】逆方向へのノズルキャップ回動で液体吐出路が閉じかつストッパ部材が下降して、該ストッパ部材の第１係合部とトリガーの第２係合部との係合でトリガーの後方引寄せが不能となるトリガー式液体噴出器において、該係合状態のまま誤ってトリガーを強く後方引寄せすることでの第１、第２係合突部等の破損を防止可能とした。【解決手段】上記第１係合突部13を、ストッパ部材12から後方突出する第１張出し板22の後部下面へ付設して第２係合突部14後面へ係合可能となし、トリガー９後方引寄せの強制操作で第１張出し板22が弾性変形して上記係合が離脱可能とした。【選択図】  図２
2005103369.tif 000002
【特許請求の範囲】
【請求項１】
逆方向へのノズルキャップ11回動で、液体吐出路が閉じかつストッパ部材12が下降してストッパ部材の第１係合突部13とトリガー９の第２係合突部14との係合で、トリガーの後方引寄せ操作が不能としたトリガー式液体噴出器において、
上記第１係合突部13を、ストッパ部材から後方突出する第１張出し板22の後部へ付設して上記第２係合突部14へ係合可能となし、トリガー９後方引寄せの強制操作で第１張出し板22後部が上方へ弾性弯曲して上記係合が離脱可能に形成した
ことを特徴とするトリガー式液体噴出器。
【請求項２】
逆方向へのノズルキャップ回動で液体吐出路が閉じかつストッパ部材12が下降し、該下降でストッパ部材の第１係合突部13とトリガーの第２係合突部14とが係合して、トリガーの後方引寄せ操作を不能とするトリガー式液体噴出器において、
上記第１、第２係合突部13、14を、ストッパ部材およびトリガーから後方突出させた第１、第２張出し板22、23の後部下面および上面へ付設させ、又それ等第１、第２張出し板の少なくとも一方ないし、双方はトリガー強制引寄せにより弾性変形して上記両係合突部が離脱可能に形成した
ことを特徴とするトリガー式液体噴出器。
【請求項３】
トリガー後方引寄せの強制操作による第１、第２係合突部13、14離脱時に離脱音が発するよう設けた
ことを特徴とする、請求項１又は２記載のトリガー式液体噴出器。
【発明の詳細な説明】
【技術分野】
【０００１】
本発明は、トリガー式の液体噴出器に関する。
【背景技術】
【０００２】
トリガー式液体噴出器は、通常射出筒前端へ嵌合させたノズルキャップを正方向へ回すことで該ノズルキャップが有するノズル孔への液体吐出路が開通し、逆方向への回動でその吐出路が閉じるよう設けられており、その吐出路閉塞状態で誤ってトリガー操作を行うと種々の支障を来すため、上記ノズルキャップ後方の射出筒前部部分外面へストッパ部材を設けて、吐出路閉塞状態ではストッパ部材が下降して、該ストッパ部材が有する第１係合突部とトリガーが有する第２係合突部とが係合して、トリガー後方引寄せ操作が不能となるよう設けたトリガー式液体噴出器がある（特許文献１）。
【特許文献１】特願２００２−２８６８２３号。
【発明の開示】
【発明が解決しようとする課題】
【０００３】
上記のようなトリガー式液体噴出器にあっては、液体吐出路閉塞状態でのトリガーの後方引寄せ操作を不能としているから、その引寄せ操作を行わなければよい筈であるが、実際にはその引寄せが不能としてあることに気付かず、力を入れて無理にその引寄せ操作をしようとする消費者もある。このような操作も噴出器内に液体が入っておれば、シリンダ内筒状ピストンが吐出路閉塞のために後退しないから、トリガーの後方引寄せは不能となり、問題はないが、上記操作を初めて行う場合等、噴出器内に液体が入っていない状態では、筒状ピストンを後方押込みしてトリガーが後退することとなり、すると上記第１、ないし第２係合突部が破損する虞れがある。
【０００４】
本発明は、上記のように無理にトリガーを引くとそれ等両係合突部の係合が外れてその破損を免れることが可能としたものである。
【課題を解決するための手段】
【０００５】
第１の手段として、逆方向へのノズルキャップ11回動で、液体吐出路が閉じかつストッパ部材12が下降してストッパ部材の第１係合突部13とトリガー９の第２係合突部14との係合で、トリガーの後方引寄せ操作が不能としたトリガー式液体噴出器において、
上記第１係合突部13を、ストッパ部材から後方突出する第１張出し板22の後部へ付設して上記第２係合突部14へ係合可能となし、トリガー９後方引寄せの強制操作で第１張出し板22後部が上方へ弾性弯曲して上記係合が離脱可能に形成した。
【０００６】
第２の手段として、逆方向へのノズルキャップ回動で液体吐出路が閉じかつストッパ部材12が下降し、該下降でストッパ部材の第１係合突部13とトリガーの第２係合突部14とが係合して、トリガーの後方引寄せ操作を不能とするトリガー式液体噴出器において、
上記第１、第２係合突部13、14を、ストッパ部材およびトリガーから後方突出させた第１、第２張出し板22、23の後部下面および上面へ付設させ、又それ等第１、第２張出し板の少なくとも一方ないし、双方はトリガー強制引寄せにより弾性変形して上記両係合突部が離脱可能に形成した。
【０００７】
第３の手段として、上記第１又は第２の手段を有すると共にトリガー後方引寄せの強制操作による第１、第２係合突部13、14離脱時に離脱音が発するよう設けた。
【発明の効果】
【０００８】
請求項１又は２のようにすることで、液体吐出路閉塞状態において強制的にトリガーの後方引寄せ操作を行えば、第１、第２係合突部13、14の係合が外れるため、それ等係合突部の破損を免れることが出来る。
【０００９】
請求項３のようにすることで、上記トリガー後方引寄せの強行で第１、第２係合突部が外れたとき係合離脱音を発するから、その音が操作者の注意を引くこととなり、その音により操作の誤りを知ることが出来る。
【発明を実施するための最良の形態】
【００１０】
以下図面について説明する。まず従来公知の事項について簡単に説明すると、１は容器体、２はトリガー式液体噴出器で、該噴出器本体３は、吸上げ主筒４上端が射出筒５を前方突出し、かつそれ等吸上げ主筒上部と射出筒後部とを連続させた内角部からはシリンダ６を下前方へ突出し、又吸上げ主筒下部とシリンダの基部下面とからは基筒部７を垂下させ、該基筒部からは装着筒８を回動可能に垂下させて、該装着筒を容器体口頸部へ螺合させている。
【００１１】
上記射出筒５前部へは、二又状とした上部を枢着させてトリガー９を前後方向への揺動が自在に垂下し、既述シリンダ内へ前下方へ付勢させて嵌合させた筒状ピストン10の前面へトリガー後面から突出させた係合棒後端を係合させている。
【００１２】
射出筒５の前端部外面へはノズルキャップ11を、又該キャップ後方で射出筒前方部分外面へはストッパ部材12を、それぞれ嵌合させており、ノズルキャップを正方向へ回したとき該ノズルキャップが有する係合子が図２のようにストッパ部材を押上げて、このとき既述吐出路は開通し、又逆方向へ回すと図１のようにストッパ部材12は下降して該ストッパ部材の第１係合突条13が、トリガーの第２係合突条14後面へ係合してトリガーの後方引寄せ操作を不能とすると共に吐出路は閉塞するよう設けている。
【００１３】
尚図示例ではノズルキャップ11の回動を、該キャップ外面へ嵌着させたカバー15側面から邪魔板16を垂下するカバー部材17の回動で行うよう設けており、図示の吐出路閉塞状態では邪魔板16がトリガー９の前面に沿って垂下し、その邪魔板を上方へ回動移動させてカバー14およびノズルキャップ11を共に正方向へ回すことで、吐出路が開通するよう設けている。但し該カバー部材は必ずしも必要ではなく、必要により設ければよい。
【００１４】
上記構成において、初めて吐出路を開通させた状態からトリガー９を数回引寄せ操作すると、吸上げ主筒４、シリンダ６、射出筒15内の空気は排出されて容器体内液体が置換し、該状態からトリガー９を引寄せ操作すると、シリンダ６内高圧化で射出筒基端内の吸込み弁が閉じ、射出筒中間部内の吐出弁が開いて、射出筒５内を通りノズル孔18から霧となって噴出し、既述カバーの頂板との間に形成された発泡室19内壁面への衝突でその霧はその室内空気と混合し、発泡して頂板20に穿設した泡噴出孔21から放出される。
【００１５】
トリガー９を離すと筒状ピストン10が復帰することで、トリガーも押戻され、又このとき吸込み弁も閉塞する。
【００１６】
本発明にあっては、既述ストッパ部材12の下端から後方突出してその後端下面に第１係合突子13を付設する第１張出し板22と、トリガー後面から後方突出してその後端上面へ第２係合突子14を付設する第２係合板23とのうち、いずれかの一方ないしは双方を弾性変形可能となし、既述吐出路が閉じてストッパ部材12が下降する状態では第１係合突子13前面へ第２係合突子14後面が係合してトリガーの引寄せが不能とした状態から、更に無理にトリガー９を引寄せすると図３のように上記第１、第２張出し板22、23のうち、いずれかの一方ないし双方が上方又は下方へ弾性変形して上記係合が外れる。
【００１７】
上記係合の離脱はトリガー９を強く後方へ引寄せすることで生ずるため、その離脱の際、かなりの離脱音を発することとなる。尚その離脱音とは、上記係合離脱の際、第１ないし第２張出し板22、23が係合離脱時の急激な弾性復元音、又他物に衝突した際の打設音も含むものとする。
【図面の簡単な説明】
【００１８】
【図１】本発明液体噴出器を吐出路閉塞状態で示す断面図である。
【図２】図１液体噴出器を吐出路開通状態で示す断面図である。
【図３】図１状態から、無理にトリガーを引寄せた状態で示す断面図である。
【符号の説明】
【００１９】
３    噴出器本体                    ５    射出筒
６    シリンダ                      ９    トリガー
11    ノズルキャップ                13    第１係合突部
14    第２係合突部                  18    ノズル孔
22    第１張出し板                  23    第２張出し板
【図１】
2005103369.tif 000003
【図２】
2005103369.tif 000004
【図３】
2005103369.tif 000005